(57)【要約】【課題】本発明は、ドラム洗濯機に関するもので、乾燥効率を向上させることができるドラム洗濯機に関するものである。【解決手段】本発明に係るドラム洗濯機は、キャビネットの内部に設置され、洗濯水が収容されるタブと、タブの内側に回転可能に設置され、洗濯物が収納されるドラムと、タブに連通される吸気管とを含むことを特徴とする。吸気管の一端はタブに連通され、吸気管の他端は自由端である。タブは排出ホール部をさらに含む。排出ホール部を通して流入する洗濯水と空気は、それぞれ分離されてから排水管及び排気管に沿ってキャビネットの外部に排出される。【選択図】図２
2010523195.tif 000002
【特許請求の範囲】
【請求項１】
キャビネット内部に配置され、第１の側面に形成される貫通ホール部を備えるタブと、
前記タブの内側に備わるドラムと、
第１の端と、前記第１の端の反対側に配置され、自由端である第２の端とを備えており、前記第１の端で前記貫通ホール部に連通される吸気管と、を含むことを特徴とするドラム洗濯機。
【請求項２】
前記吸気管は、前記タブの上側に配置されることを特徴とする請求項１に記載のドラム洗濯機。
【請求項３】
前記貫通ホール部は、前記タブの上側面に配置されることを特徴とする請求項１に記載のドラム洗濯機。
【請求項４】
前記吸気管の他端は、前記キャビネットの内部に配置されることを特徴とする請求項１に記載のドラム洗濯機。
【請求項５】
前記ドラムは、前記貫通ホール部の位置に対応する位置に配置される少なくとも一つの流入ホール部を備えており、前記流入ホール部は、前記ドラムの一側面に円形の帯状に配列されることを特徴とする請求項１に記載のドラム洗濯機。
【請求項６】
前記タブは、前記タブの第２の側面に形成される排出ホール部をさらに含み、
前記排出ホール部に連通され、前記キャビネットの外側に延長される排気管と、
前記タブの第２の側面に設置される排気ファンと、
前記排気ファンを駆動させるモーターと、をさらに含むことを特徴とする請求項１に記載のドラム洗濯機。
【請求項７】
前記排出ホール部と前記排気管との間には延長管及びハウジングが備わり、前記ハウジングには前記排気ファンが備わることを特徴とする請求項６に記載のドラム洗濯機。
【請求項８】
前記タブは複数のバランサをさらに含み、
前記バランサは互いに離隔するように備わり、前記延長管は前記バランサの間に備わることを特徴とする請求項７に記載のドラム洗濯機。
【請求項９】
前記延長管の底面と前記ハウジングの底面との間には、前記ハウジングの底面が所定高さだけ高く位置する段差が形成されることを特徴とする請求項７に記載のドラム洗濯機。
【請求項１０】
前記タブから洗濯水を排出させる排水ポンプをさらに含み、前記延長管の底面と前記排水ポンプとの間には連結管が延長されることを特徴とする請求項９に記載のドラム洗濯機。
【請求項１１】
前記排出ホール部は、前記タブの下側に配置されることを特徴とする請求項６に記載のドラム洗濯機。
【請求項１２】
前記吸気管の内部には、ヒーターがさらに備わることを特徴とする請求項１に記載のドラム洗濯機。
【請求項１３】
前記タブの第１の側面は前記タブの第２の側面の反対側に配置され、前記排出ホール部は前記タブの下側に配置され、前記貫通ホール部は前記タブの上側に配置されることを特徴とする請求項６に記載のドラム洗濯機。
【請求項１４】
前記キャビネットは前方側面に形成されるドアを備えており、
前記タブの第２の側面は前記ドアに対応するタブ開口部を備えており、前記タブの第１の側面は前記第２の側面の反対側に配置されることを特徴とする請求項１に記載のドラム洗濯機。
【請求項１５】
前記吸気管の第２の端は、前記キャビネットの内側面と前記タブの外側面との間に配置されることを特徴とする請求項１に記載のドラム洗濯機。
【発明の詳細な説明】
【技術分野】
【０００１】
本発明は、ドラム洗濯機に関するもので、特に、乾燥効率を向上させることができるドラム洗濯機に関するものである。
【背景技術】
【０００２】
一般的に、ドラム洗濯機は、洗剤、洗濯水及び洗濯物をドラム内に投入した状態で、モーターの駆動力によってドラムを回転させながら洗濯物を洗濯する装置である。このようなドラム洗濯機は、洗濯物の損傷が少なく、洗濯物が互いに絡むことなく、叩いて揉んで洗う洗濯効果を出すことができるという長所を有する。
【０００３】
図１は、従来技術に係るドラム洗濯機を示した構成図である。
【０００４】
図１を参照すると、従来技術に係るドラム洗濯機においては、キャビネット１の前面に形成された洗濯物投入口にドア２が開閉可能に設置され、キャビネット１の内部には洗濯水を貯蔵するためのタブ３が設置される。
【０００５】
そして、タブ３内には、外周面上に通孔が形成されたドラム４が回転可能に設置され、タブ３の外側には、ドラム４に駆動力を伝達するモーター装置５が設置される。
【０００６】
また、ドア２には、タブ３の開口部側に突出するようにドアガラス２ａが設置される。
【０００７】
そして、キャビネット１の上部面内側とタブ３の外周面上部側との間には、タブ３を支持するスプリング６が設置され、図示してはいないが、キャビネット１の下部面内側とタブ３の外周面下部側との間には、ドラム洗濯機の作動時に発生するタブ３の振動を減衰させるためのダンパー（図示せず）が設置される。
【０００８】
また、モーター装置５には、モーター５ａで発生した駆動力をベルト５ｂによって洗濯軸５ｃに伝達し、ドラム４を回転させる間接駆動方式が主に適用される。
【０００９】
一方、キャビネット１の上部内側面には乾燥ダクト７が設置される。このとき、乾燥ダクト７には、熱風を生成及び強制送風できるようにヒーター７ｂ及び送風ファン７ａが内蔵される。
【００１０】
そして、このような乾燥ダクト７の一端部側は、タブ３の前面開口部枠とキャビネット１前面のドア周辺部とを連結するガスケット８に連結される。
【００１１】
すなわち、ガスケット８は、タブ３の前面内側枠に沿って設置され、タブ３の振動を受け入れるようにしわの寄った形状を有する。これによって、乾燥ダクト７とタブ３との連結部を通して熱風が漏れることを防止する。
【００１２】
また、タブ３には、乾燥ダクト７に連通されるように凝縮ダクト９が設置される。このとき、前記凝縮ダクト９の一端部はタブ３の後面に連結され、凝縮ダクト９の他端部は乾燥ダクト７に連結される。このような凝縮ダクト９には、空気中の湿気を凝縮させ、湿気を除去するように凝縮水を供給する凝縮水供給管９ａが設置される。
【００１３】
一方、凝縮水供給管９ａは、凝縮ダクト９とは別途に製作され、凝縮ダクト９の上部に形成された固定溝９ｈに嵌め込んで固定させる構造である。このとき、凝縮水供給管９ａの一側には給水ホース９ｂが連結される。
【００１４】
このように構成された乾燥兼用ドラム洗濯機は、洗濯行程、濯ぎ行程、脱水行程及び乾燥行程を行う。
【００１５】
以下、乾燥兼用ドラム洗濯機の乾燥行程について説明する。
【００１６】
ドラム洗濯機の乾燥行程が開始されると、乾燥ダクト７のヒーター７ｂに電源が印加される。このとき、前記送風ファン７ａ及びヒーター７ｂが稼動することによって、送風ファン７ａは熱風を送風させる。
【００１７】
このような熱風は、乾燥ダクト７の案内によってドアガラス２ａの傾斜部分に当接し、ドラム４の内部に流入する。
【００１８】
そして、ドラム４の内部に流入した熱風は、洗濯物を加熱し、洗濯物に含まれた水分を蒸発させる。このとき、前記ドラム４が低速で回転しながら洗濯物を撹拌することによって、洗濯物が均一に熱風に露出されるようにし、水分の蒸発を助ける。
【００１９】
このように蒸発された水分は、空気に含まれた状態で凝縮ダクト９を通して排出される。このとき、前記凝縮ダクト９の凝縮水供給管９ａから水を噴射することによって、空気中の湿気を除去する。このように湿気が除去された空気は、再び乾燥ダクト７に流入し、乾燥ダクト７に流入した空気は、ヒーター７ｂ及び送風ファン７ａによって熱風に変換されてドラム４に再び流入し、洗濯物に対して乾燥作用を行う。このような一連の過程を反復的に行いながら洗濯物を乾燥させる。
【発明の概要】
【発明が解決しようとする課題】
【００２０】
しかしながら、凝縮水を用いて空気中の湿気を除去する従来のドラム洗濯機は、湿度の高いドラム４内部の空気が循環されながら乾燥行程を行うので、乾燥効率が低下する。すなわち、凝縮水を用いる循環空気の湿気を除去する方式では、空気中の湿気を所定値以下に除去することが容易でないので、乾燥効率が低下する。
【００２１】
本発明は、前記のような従来技術の問題点を改善するためになされたもので、乾燥効率を向上させることができるドラム洗濯機を提供することを目的とする。
【課題を解決するための手段】
【００２２】
本発明に係るドラム洗濯機は、キャビネットの内部に備わるタブと、前記タブの内側に備わるドラムと、前記タブに連通される吸気管とを含む。
【００２３】
前記吸気管は、前記タブの上側に配置されることが望ましい。
【００２４】
前記吸気管の一端は、前記タブの背面に形成される貫通ホール部に連結され、他端は自由端として位置し、前記吸気管の他端側は、前記キャビネットの内部に位置することが望ましい。また、前記ドラムの背面には、前記貫通ホール部に対応する流入ホール部が円形の帯状に形成される。
【００２５】
また、本発明に係るドラム洗濯機は、前記タブに連通され、前記キャビネットの外側に延長される排気管と、前記タブの排出ホール部側に設置される排気ファンと、前記排気ファンを駆動させるモーターとをさらに含む。前記排気管は、前記排出ホール部に連通され、前記排出ホール部と前記排気管との間には延長管及びハウジングが備わり、前記ハウジングには前記排気ファンが備わる。また、前記タブにはバランサが離隔するように備わり、前記延長管は前記バランサの間に備わり、前記延長管の底面と前記ハウジングの底面との間には、前記ハウジングの底面が所定高さだけ高く位置する段差が形成される。また、本発明は、前記タブから洗濯水を排出させる排水ポンプをさらに含み、前記延長管の底面と前記排水ポンプとの間には連結管が備わる。一方、洗濯効率を向上させるために、前記排出ホール部は前記タブの下側に配置されることが望ましい。
【００２６】
また、前記吸気管の内部には、ヒーターがさらに備わることが望ましい。
【発明の効果】
【００２７】
本発明は、高温低湿の空気を用いて乾燥作動を行うので、乾燥効率が向上する。
【００２８】
また、本発明は、排気ファンを用いて空気を流動させるので、空気を円滑に循環させることができ、乾燥作業に要する時間及び費用を節減することができる。
【００２９】
また、本発明は、吸気管の他端側をキャビネットの内部に位置させることによって、外部の異物質がタブの内側に流入することを防止することができる。
【００３０】
また、本発明は、吸気管をタブの上側に配置することによって、タブに流入する空気を洗濯物に均一に噴射させることができ、湿度の低い空気をタブに流入させることができる。
【００３１】
また、本発明は、吸気管がタブの上側に連通され、排出ホール部がタブの下側に位置する。したがって、本発明は、流入する空気と洗濯物との接触時間が長くなり、洗濯物に空気が均一に噴射されるので、洗濯効率を向上させることができる。
【００３２】
また、本発明は、乾燥装置と他の装置との間の干渉を防止するために、多数個のバランサが離隔するように設置されることによって、乾燥動作及び洗濯動作中に発生する振動や騷音を減少させることができる。したがって、本発明は、振動によって部品が破損することを防止することができ、静かでかつ安全な洗濯及び乾燥動作を行うことができるという利点を有する。
【００３３】
また、本発明は、延長管とハウジングとの間に段差が形成され、延長管の底面に集まる洗濯水を排水ポンプに案内する連結管が設置されるので、排出ホール部を通して吐出される空気と洗濯水とを分離して排出することができ、排気ファンに洗濯水が接触しながら発生する誤作動及び腐食による破損を防止することができ、よって、製品の寿命が延長されるという利点を有する。
【図面の簡単な説明】
【００３４】
【図１】従来技術に係るドラム洗濯機を示した構成図である。
【図２】本発明の一実施例に係るドラム洗濯機を示した構成図である。
【図３】本発明の一実施例に係るドラム洗濯機のタブを示した正面図である。
【図４】本発明の一実施例に係るドラム洗濯機のドラムを示した背面図である。
【発明を実施するための形態】
【００３５】
以下、本発明に係るドラム洗濯機の一実施例について、添付した図面を参照して詳細に説明する。説明の便宜のために、凝縮式乾燥装置を備えるドラム洗濯機を例に挙げて説明する。この過程で図面に示した線の厚さや構成要素の大きさなどは、説明の明瞭性と便宜のために誇張されて示されることがある。また、後述する各用語は、本発明での機能を考慮して定義された用語で、これは、使用者及び運用者の意図又は慣例によって変わり得る。したがって、これら用語は、本明細書の全般的な内容に基づいて定義されるべきである。
【００３６】
以下、本発明に係るドラム洗濯機の一実施例について、添付した図面を参照して詳細に説明する。説明の便宜のために、凝縮式乾燥装置を備えるドラム洗濯機を例に挙げて説明する。この過程で図面に示した線の厚さや構成要素の大きさなどは、説明の明瞭性と便宜のために誇張されて示されることがある。また、後述する各用語は、本発明での機能を考慮して定義された用語で、これは、使用者及び運用者の意図又は慣例によって変わり得る。したがって、これら用語は、本明細書の全般的な内容に基づいて定義されるべきである。
【００３７】
使用者がドラム５４の内部に洗濯物を収納した後、動作を開始すると、給水装置５６によってタブ５２及びドラム５４の内部に洗濯水が供給され、洗濯水の供給が完了すると、駆動装置５８に電源が印加されることによって、ドラム５４が回転しながら洗濯動作が実施される。
【００３８】
洗濯動作が終了すると、排水装置５９によって洗濯水がキャビネット５０の外側に排水され、乾燥装置によって洗濯物に残存する水分を除去する乾燥動作が実施される。
【００３９】
このように乾燥動作を行う乾燥装置は、タブ５２に連通される吸気管６０と、タブ５２に連通され、キャビネット５０の外側に延長される排気管７０と、タブ５２の排出ホール部５２ｂ側に設置される排気ファン７２と、排気ファン７２の回転軸に連結されるモーター７４とを含む。吸気管６０の内部には、流入する空気を加熱するためのヒーター６２が設置されることが望ましい。また、湿気の低い外部の空気を流入させるために、吸気管６０の一端６４はタブ５２に連結され、他端は自由端６６として形成されることが望ましい。ここで、吸気管６０の自由端６６は、流入する空気中の埃を減少させるためにキャビネット５０の内部に位置することが望ましい。
【００４０】
タブ５２の背面には、吸気管６０が連結される貫通ホール部５２ａが形成され、タブ５２の開口部には、排気管７０が連通される排出ホール部５２ｂが形成される。
【００４１】
乾燥動作が開始されると、駆動装置５８によってドラム５４が所定速度以下に回転すると同時に、モーター７４に電源が印加されることによって、排気ファン７２が駆動されながら外部空気の流入が行われる。
【００４２】
このように流入する空気は、吸気管６０に沿って流入しながらヒーター６２によって加熱されるので、高温乾燥空気に変換され、ドラム５４の内部で流動する洗濯物と接触しながら水分を吸収する。水分を吸収した空気は、排気ファン７２を経て排気管７０に沿ってキャビネット５０の外部に排出される。
【００４３】
洗濯動作中、ドラム５４内の洗濯水が吸気管６０を通して外部に流出したり、排出された洗濯水が吸気管６０を通してタブ５２の内側に流入することがある。したがって、吸気管６０は、タブ５２の上側に位置することが望ましい。また、上側から流入する空気と洗濯物との接触時間を長くし、洗濯物に空気を均一に噴射させるために、排出ホール部５２ｂはタブ５２の下側に位置することが望ましい。排出ホール部５２ｂは、空気が吸入される吸気管６０側に対して対角線方向に配置されることがより望ましい。本実施例で、吸気管６０は、キャビネット５０の内壁に設置されており、
2010523195.tif 000003
形状に折り曲げられてから、一端６４はタブ５２の背面に連結され、他端６６はキャビネット５０の内部で自由端として配置される。
【００４４】
前記のように吸気管６０を構成することによって、キャビネット５０内部の空気が吸気管６０に沿って流入し、タブ５２の内部に流入するようになる。
【００４５】
また、乾燥効率を向上させるために、排出ホール部５２ｂと排気管７０との間には延長管７６及びハウジング７８が設置され、ハウジング７８には排気ファン７２が設置される。排気ファン７２の動作と連動しながらドラム５４内部の空気が排気管７０に排出され、湿気の低い外部の空気が吸気管６０を通してドラム５２の内部に供給される。このように湿気の低い空気がドラム５２の内部に供給されるので、乾燥効率が向上する。
【００４６】
タブ５２には、開口部５２ｃの反対側に一対のバランサ８０が離隔するように設置される。バランサ８０と延長管７６との干渉が発生しないように、延長管７６はそれぞれのバランサ８０の間に設置される。
【００４７】
タブ５２に流入する外部空気がドラム５４の内部に供給されるように、ドラム５４の背面には、貫通ホール部５２ａに対応するように流入ホール部５４ａが形成される。流入ホール部５４ａは、多数個が所定間隔を維持して形成される。ドラム５４が回転するので、流入ホール部５４ａは、ドラム５４の背面に円形の帯状に形成されることが望ましい。ドラム５４が回転する間にも、貫通ホール部５２ａと流入ホール部５４ａとの対応状態が維持されるので、貫通ホール部５２ａを通して流入する空気はドラム５４の内部に供給されるようになる。
【００４８】
延長管７６の底面とハウジング７８の底面との間には、ハウジング７８の底面が所定高さだけ高く位置する段差７７が形成され、延長管７６の底面と排水ポンプ５９ｂとの間には連結管７９が設置されるので、排出ホール部５２ｂを通して延長管７６に排水される洗濯水は、延長管７６の底面に集められてから、連結管７９を経て排水ポンプ５９ｂ及び排水管５９ａに沿ってキャビネット５０の外側に排出される。
【００４９】
以下、前記のように構成された本発明の一実施例に係るドラム洗濯機の作用を説明する
【００５０】
まず、洗濯作動が完了し、乾燥作動が開始されると、駆動装置５８に電源が印加されることによってドラム５４が駆動される。また、モーター７４が駆動され、排気ファン７２が回転しながら空気の流動が行われる。排気ファン７２が回転すると、キャビネット５０内部の空気が吸気管６０に沿って貫通ホール部５２ａ及び流入ホール部５４ａを経てドラム５４の内部に流入するが、吸気管６０を通過する空気はヒーター６２によって高温乾燥空気に変換される。ドラム５４の内部で洗濯物と接触する高温乾燥空気は、水分を吸収しながら排出ホール部５２ｂ、延長管７６、ハウジング７８、排気ファン７２を経て排気管７０に沿ってキャビネット５０の外部に排出される。このとき、排出ホール部５２ｂを通して流出する洗濯水は、延長管７６の底面に集められてから、連結管７９を経て排水ポンプ５９ｂ及び排水管５９ａに沿ってキャビネット５０の外部に排水される。そして、排出ホール部５２ｂを通して延長管７６に流入する空気は、排気ファン７２によって排気管７０側に方向が転換され、キャビネット５０の外側に排出される。排出ホール部５２ｂを通して流入する洗濯水と空気は、それぞれ分離されてから、排水管５９ａ及び排気管７０に沿ってキャビネット５０の外部に排出される。
【００５１】
前記のような乾燥動作や洗濯動作が行われるとき、タブ５２の前面に設置される延長管７６がバランサ８０の間に設置され、延長管７６とバランサ８０との間に所定間隔が維持されるので、バランサ８０と延長管７６との間の接触を防止できるようになる。
【００５２】
本発明は、図面に示した一実施例を参考にして説明されたが、これは例示的なものに過ぎなく、当該技術分野で通常の知識を有する者であれば、これから多様な変形及び均等な他の実施例が可能であることを理解するであろう。したがって、本発明の真の技術的保護範囲は、下記の特許請求の範囲によって定められるべきである。
【図１】
2010523195.tif 000004
【図２】
2010523195.tif 000005
【図３】
2010523195.tif 000006
【図４】
2010523195.tif 000007
【国際調査報告】
2010523195.tif 000008
2010523195.tif 000009